(57)【要約】  システムが、産業プロセスと、産業プロセスに関連する制御システムとに関連する情報を提示するように構成された少なくとも１つのグラフィカルディスプレイ（２０４ａ、２０４ｂ）を有するオペレータコンソール（１１０）を含む。システムはまた、オペレータコンソールに関連付けられているモバイル拡張部（１２２）も含む。モバイル拡張部は、オペレータに第１のプロセス関係の情報を提示し、制御システムについて、オペレータから第２のプロセス関係の情報を受け取るように構成されている。オペレータコンソールは、モバイル拡張部に状態情報を提供するように構成され、ここで、状態情報は、オペレータコンソールの動作に関連付けられている。モバイル拡張部は、第１のプロセス関係の情報のうちの少なくとも一部、または第２のプロセス関係の情報のうちの少なくとも一部を装置の場所に基づかせるように構成可能であり得る。オペレータコンソールは、モバイル拡張部が、オペレータによって、現在、使用中であるというインジケーションを提供するように構成可能であり得る。
2017515175.tif 000002
【特許請求の範囲】
【請求項１】
モバイル拡張部（１２２）においてオペレータに第１のプロセス関係の情報を提示するステップ（７１０）であって、前記モバイル拡張部が、産業プロセスと、前記産業プロセスに関連する制御システムとに関連する情報を表示するオペレータコンソール（１１０）に関連付けられている、ステップ（７１０）と、
前記制御システムについて、前記モバイル拡張部において前記オペレータから第２のプロセス関係の情報を受け取るステップ（７１２）と、
前記モバイル拡張部において前記オペレータコンソールから状態情報を受け取るステップ（７０２）であって、前記状態情報が、前記オペレータコンソールの動作に関連付けられている、ステップ（７０２）と
を含む方法。
【請求項２】
前記状態情報が、前記オペレータのログイン身分証明、および前記オペレータコンソールにおける１つもしくは複数のヒューマンマシンインターフェース（ＨＭＩ）（３０２）の１つまたは複数の現在のビューを含み、
前記モバイル拡張部が、前記オペレータが前記モバイル拡張部に前記ログイン身分証明を提供せずに、前記オペレータによって使用される、請求項１に記載の方法。
【請求項３】
前記モバイル拡張部が、前記オペレータによって、現在、使用中であるというインジケーションを前記オペレータコンソールにおいて提供するステップ（６１２）
をさらに含む、請求項１に記載の方法。
【請求項４】
前記オペレータに提示される前記第１のプロセス関係の情報のうちの少なくとも一部、または前記オペレータから受信される前記第２のプロセス関係の情報のうちの少なくとも一部が、前記モバイル拡張部の場所に基づいている、請求項１に記載の方法。
【請求項５】
前記モバイル拡張部の前記場所が、複数のゾーンのうちの１つに関連付けられ、
前記オペレータに提示される前記第１のプロセス関係の情報のうちの少なくとも一部、または前記オペレータから受信される前記第２のプロセス関係の情報のうちの少なくとも一部が、前記モバイル拡張部が置かれている前記ゾーンに基づいている、請求項４に記載の方法。
【請求項６】
前記モバイル拡張部が第１のゾーン内に置かれているとき、前記モバイル拡張部は、前記オペレータが警報を閲覧および確認応答することができるようにし、プロセスパラメータへの読取り／書込みアクセスを提供し、
前記モバイル拡張部が第２のゾーン内に置かれているとき、前記モバイル拡張部は、前記オペレータが警報を閲覧および確認応答することができるようにし、プロセスパラメータへの読取りアクセスを提供するが、書込みアクセスは提供せず、
前記モバイル拡張部が第３のゾーン内に置かれているとき、前記モバイル拡張部は、前記オペレータが警報を閲覧することはできるが、確認応答はできないようにし、プロセスパラメータへの読取りアクセスを提供するが、書込みアクセスは提供しない、請求項５に記載の方法。
【請求項７】
前記モバイル拡張部の前記場所が、前記オペレータコンソールからの前記モバイル拡張部の距離と定義される、請求項４に記載の方法。
【請求項８】
オペレータに第１のプロセス関係の情報を提示するように構成されたディスプレイ（５１０）
を備える装置であって、産業プロセスと、前記産業プロセスに関連する制御システムとに関連する情報を表示するように構成されているオペレータコンソール（１１０）に関連付けられている装置において、
前記ディスプレイ上の前記第１のプロセス関係の情報の提示を制御し、前記制御システムについて、前記オペレータから第２のプロセス関係の情報を受け取るように構成された少なくとも１つの処理デバイス（５０２）をさらに備え、
前記少なくとも１つの処理デバイスが、前記オペレータコンソールから状態情報を受け取るようにさらに構成され、前記状態情報が、前記オペレータコンソールの動作に関連付けられている、装置。
【請求項９】
前記状態情報が、前記オペレータのログイン身分証明、および前記オペレータコンソールにおける１つもしくはヒューマンマシンインターフェース（ＨＭＩ）（３０２）の１つまたは複数の現在のビューを含む、請求項８に記載の装置。
【請求項１０】
前記少なくとも１つの処理デバイスが、前記オペレータに提示される前記第１のプロセス関係の情報のうちの少なくとも一部、または前記オペレータから受信される前記第２のプロセス関係の情報のうちの少なくとも一部を前記装置の場所に基づかせるように構成されている、請求項８に記載の装置。
【請求項１１】
前記装置の前記場所が、複数のゾーンのうちの１つに関連付けられ、
前記少なくとも１つの処理デバイスが、前記オペレータに提示される前記第１のプロセス関係の情報のうちの少なくとも一部、または前記オペレータから受信される前記第２のプロセス関係の情報のうちの少なくとも一部を前記装置が置かれている前記ゾーンに基づかせるように構成されている、請求項１０に記載の装置。
【請求項１２】
前記少なくとも１つの処理デバイスが、前記オペレータコンソールへのアクティビティ更新情報の送信を開始するようにさらに構成され、前記アクティビティ更新情報が、前記装置を使用して、前記オペレータによって起こされる行為を識別する、請求項８に記載の装置。
【請求項１３】
前記少なくとも１つの処理デバイスが、前記オペレータコンソールにおいて、１つまたは複数のヒューマンマシンインターフェース（ＨＭＩ）（３０２）とのオペレータ対話をサポートするようにさらに構成されている、請求項８に記載の装置。
【請求項１４】
産業プロセスと、前記産業プロセスに関連する制御システムとに関連する情報を提示するように構成された少なくとも１つのグラフィカルディスプレイ（２０４ａ、２０４ｂ）を備えるオペレータコンソール（１１０）と、
前記オペレータコンソールに関連付けられているモバイル拡張部（１２２）であって、オペレータに第１のプロセス関係の情報を提示し、前記制御システムについて、前記オペレータから第２のプロセス関係の情報を受け取るように構成されている、モバイル拡張部（１２２）と
を備え、
前記オペレータコンソールが、前記モバイル拡張部に状態情報を提供するようにさらに構成され、前記状態情報が、前記オペレータコンソールの動作に関連付けられている、システム。
【請求項１５】
前記オペレータコンソールは、前記モバイル拡張部が前記オペレータコンソールに接近してきている、または前記オペレータコンソールのところにあることを検出すると、前記オペレータが、前記モバイル拡張部を使用して、開いた、修正した、もしくは閉じた１つまたは複数のＨＭＩ（３０４）に基づいて、前記オペレータコンソールにおいて提示された１つまたは複数のヒューマンマシンインターフェース（ＨＭＩ）（３０２）を更新するようにさらに構成されている、請求項１４に記載のシステム。
【発明の詳細な説明】
【技術分野】
【０００１】
[0001]本開示は、一般に、産業用の制御および自動化システムに関する。より詳細には、本開示は、産業用オペレータコンソール用のモバイル拡張部に関する。
【背景技術】
【０００２】
[0002]産業プロセス制御および自動化システムは、大規模で複雑な産業プロセスを自動化するために使用されることが多い。これらのタイプの制御および自動化システムは、常に、センサ、アクチュエータ、およびコントローラを含む。コントローラは、通常、センサから測定結果を受け取り、アクチュエータ向けの制御信号を生成する。
【０００３】
[0003]これらのタイプの制御および自動化システムはまた、通常、複数のオペレータコンソールを含む。オペレータコンソールは、制御されている産業プロセスにおけるプロセス変数のための設定点など、オペレータからの入力を受け取るために使用されることが多い。オペレータコンソールはまた、たとえば制御されている産業プロセスに関連する警告、警報、または他の情報を表示するために、出力をオペレータに提供するためにもしばしば使用される。オペレータコンソールの大きな集合体は、複数のオペレータが組立および作業を行う制御室の中で使用されることが多い。
【発明の概要】
【発明が解決しようとする課題】
【０００４】
[0004]本開示は、産業用オペレータコンソール用のモバイル拡張部を提供する。
【課題を解決するための手段】
【０００５】
[0005]第１の実施形態においては、方法が、モバイル拡張部においてオペレータに第１のプロセス関係の情報を提示するステップを含む。モバイル拡張部は、産業プロセスと、産業プロセスに関連する制御システムとに関連する情報を表示するオペレータコンソールに関連付けられている。方法はまた、制御システムについて、モバイル拡張部においてオペレータから第２のプロセス関係の情報を受け取るステップも含む。方法は、モバイル拡張部においてオペレータコンソールから状態情報を受け取るステップをさらに含み、ここで、状態情報は、オペレータコンソールの動作に関連付けられている。
【０００６】
[0006]第２の実施形態においては、装置が、オペレータに第１のプロセス関係の情報を提示するように構成されたディスプレイを含む。装置は、産業プロセスと、産業プロセスに関連する制御システムとに関連する情報を表示するように構成されているオペレータコンソールに関連付けられている。装置はまた、ディスプレイ上の第１のプロセス関係の情報の提示を制御し、制御システムについて、オペレータから第２のプロセス関係の情報を受け取るように構成された少なくとも１つの処理デバイスも含む。少なくとも１つの処理デバイスは、オペレータコンソールから状態情報を受け取るようにさらに構成され、ここで、状態情報は、オペレータコンソールの動作に関連付けられている。
【０００７】
[0007]第３の実施形態においては、システムが、産業プロセスと、産業プロセスに関連する制御システムとに関連する情報を提示するように構成された少なくとも１つのグラフィカルディスプレイを有するオペレータコンソールを含む。システムはまた、オペレータコンソールに関連付けられているモバイル拡張部も含む。モバイル拡張部は、オペレータに第１のプロセス関係の情報を提示し、制御システムについて、オペレータから第２のプロセス関係の情報を受け取るように構成されている。オペレータコンソールは、モバイル拡張部に状態情報を提供するように構成され、ここで、状態情報は、オペレータコンソールの動作に関連付けられている。
【０００８】
[0008]他の技術的な特徴が、以下の図、説明、特許請求の範囲から当業者には容易に明らかになり得る。
[0009]本開示をより完全に理解するために、次に、添付の図面と併せて解釈される以下の説明を参照する。
【図面の簡単な説明】
【０００９】
【図１】[0010]本開示による例示的な産業用制御／自動化システムを示す図である。
【図２】[0011]本開示によるモバイル拡張部を備えた例示的なオペレータコンソールを示す図である。
【図３】本開示によるモバイル拡張部を備えた例示的なオペレータコンソールを示す図である。
【図４】[0012]本開示によるオペレータコンソールについてのモバイル拡張部の例示的なジオフェンシング（ｇｅｏｆｅｎｃｉｎｇ）を示す図である。
【図５】[0013]本開示によるオペレータコンソールについての例示的なモバイル拡張部を示す図である。
【図６】[0014]本開示によるモバイル拡張部を備えたオペレータコンソールを使用するための例示的な方法を示す図である。
【図７】本開示によるモバイル拡張部を備えたオペレータコンソールを使用するための例示的な方法を示す図である。
【発明を実施するための形態】
【００１０】
[0015]後述される図１から図７、および本願における本発明の原理を説明するために使用される様々な実施形態は、ほんの例示としてのものにすぎず、いかなる形にも本発明の範囲を限定するように解釈すべきではない。当業者は、本発明の原理が、任意のタイプの適切に構成されたデバイスまたはシステムにおいて実装され得ることを理解するであろう。
【００１１】
[0016]図１は、本開示による例示的な産業用制御／自動化システム１００を示している。図１に示されているように、システム１００は、少なくとも１つの製品もしくは他の材料の生産または処理を容易にする様々な構成要素を含む。例として、システム１００は、１つまたは多数の産業用プラントの中の構成要素にわたって制御を容易にするために使用可能である。各プラントは、少なくとも１つの製品もしくは他の材料を生産するための１つまたは複数の製造設備など、１つまたは複数の処理設備（あるいは１つまたは複数のその一部分）を表す。概して、各プラントは、１つまたは複数の産業プロセスを実装することができ、個々にまたは集合的に、プロセスシステムと称される場合がある。概して、プロセスシステムは、１つまたは複数の製品もしくは他の材料を何らかの方式で処理するように構成された任意のシステムまたはその一部分を表す。
【００１２】
[0017]図１においては、システム１００は、１つまたは複数のセンサ１０２ａおよび１つまたは複数のアクチュエータ１０２ｂを含む。センサ１０２ａおよびアクチュエータ１０２ｂは、幅広い多様な機能のうちのいずれかを行うことができるプロセスシステムの中の構成要素を表す。たとえば、センサ１０２ａは、温度、圧力、または流量など、プロセスシステムにおける幅広い多様な特性を測定することが可能であり得る。また、アクチュエータ１０２ｂは、プロセスシステムにおける幅広い多様な特性を改変することが可能であり得る。センサ１０２ａのそれぞれは、プロセスシステムにおける１つまたは複数の特性を測定するための任意の適切な構造体を含む。アクチュエータ１０２ｂのそれぞれは、プロセスシステムにおける１つまたは複数の条件に作用する、もしくは影響を及ぼすための任意の適切な構造体を含む。
【００１３】
[0018]少なくとも１つのネットワーク１０４が、センサ１０２ａおよびアクチュエータ１０２ｂに連結される。ネットワーク１０４は、センサ１０２ａおよびアクチュエータ１０２ｂとの対話を容易にする。たとえば、ネットワーク１０４は、センサ１０２ａから測定データを移送し、アクチュエータ１０２ｂに制御信号を提供することが可能であり得る。ネットワーク１０４は、任意の適切なネットワークまたはネットワークの組合せを表すことが可能であり得る。具体的な例として、ネットワーク１０４は、少なくとも１つのＥｔｈｅｒｎｅｔネットワーク、電気信号ネットワーク（ＨＡＲＴまたはＦＯＵＮＤＡＴＩＯＮ  ＦＩＥＬＤＢＵＳネットワークなど）、空気制御信号ネットワーク、または任意の他の、もしくは追加のタイプのネットワークを表すことが可能であり得る。
【００１４】
[0019]様々なコントローラ１０６は、ネットワーク１０４に、直接的にまたは間接的に連結される。コントローラ１０６は、様々な機能を行うために、システム１００の中で使用可能である。たとえば、コントローラ１０６の第１の組は、１つまたは複数のセンサ１０２ａからの測定結果を使用して、１つまたは複数のアクチュエータ１０２ｂの動作を制御し得る。コントローラ１０６の第２の組は、制御論理部、またはコントローラの第１の組によって行われる他の動作を最適化するために使用可能であり得る。コントローラ１０６の第３の組は、追加の機能を行うために使用可能であり得る。
【００１５】
[0020]コントローラ１０６は、しばしば、システムの中で階層的に構成される。たとえば、相異なるコントローラ１０６が、個々のアクチュエータ、機械を形成するアクチュエータの集合体、ユニットを形成する機械の集合体、プラントを形成するユニットの集合体、および企業を形成するプラントの集合体を制御するために使用可能であり得る。コントローラ１０６の階層的な構成の具体的な例は、プロセス制御部の「パーデュー（Ｐｕｒｄｕｅ）」モデル（“Ｐｕｒｄｕｅ”  ｍｏｄｅｌ）として定義される。相異なる階層的なレベルにおけるコントローラ１０６は、１つまたは複数のネットワーク１０８、ならびに関連のスイッチ、ファイヤーウォール、および他の構成要素を介して通信することができる。
【００１６】
[0021]各コントローラ１０６は、産業プロセスの１つまたは複数の側面を制御するための任意の適切な構造体を含む。たとえば、コントローラ１０６のうちの少なくともいくつかは、Ｒｏｂｕｓｔ  Ｍｕｌｔｉｖａｒｉａｂｌｅ  Ｐｒｅｄｉｃｔｉｖｅ  Ｃｏｎｔｒｏｌ  Ｔｅｃｈｎｏｌｏｇｙ（ＲＭＰＣＴ：ロバスト多変数予測制御技術）コントローラなどの多変数コントローラ、またはモデル予測制御（ｍｏｄｅｌ  ｐｒｅｄｉｃｔｉｖｅ  ｃｏｎｔｒｏｌ：ＭＦＣ）もしくは他の高度予測制御（ａｄｖａｎｃｅｄ  ｐｒｅｄｉｃｔｉｖｅ  ｃｏｎｔｒｏｌ：ＡＰＣ）を実装する他のタイプのコントローラを表すことが可能であり得る。
【００１７】
[0022]システム１００のコントローラ１０６および他の構成要素へのアクセス、ならびにコントローラ１０６および他の構成要素との対話は、様々なオペレータコンソール１１０を介して行われ得る。上述のように、各オペレータコンソール１１０は、オペレータに情報を提供し、オペレータから情報を受け取るために使用可能であり得る。たとえば、各オペレータコンソール１１０は、産業プロセスに関連する警告、警報、または他の状態を含んだ産業プロセスの現在の状態を識別する情報をオペレータに提供することが可能であり得る。各オペレータコンソール１１０はまた、たとえばコントローラ１０６によって制御されるプロセス変数のための設定点を受け取ることによって、またはコントローラ１０６が産業プロセスをいかに制御するのかについて改変する、またはそのことに影響を及ぼす他の情報を受け取ることによって、産業プロセスがいかに制御されるのかに影響を及ぼす情報も受け取ることが可能であり得る。
【００１８】
[0023]複数のオペレータコンソール１１０が、一緒にグループ化され、１つまたは複数の制御室１１２の中で使用され得る。各制御室１１２は、任意の適切な構成において任意の数のオペレータコンソール１１０を含むことが可能であり得る。いくつかの実施形態においては、複数の制御室１１２が、各制御室１１２が産業プラントの個別の部分を管理するために使用されるオペレータコンソール１１０を収容する場合など、産業プラントを制御するために使用可能である。
【００１９】
[0024]各オペレータコンソール１１０は、オペレータに情報を表示し、オペレータと対話するための任意の適切な構造体を含む。たとえば、各オペレータコンソール１１０は、１つまたは複数のマイクロプロセッサ、マイクロコントローラ、デジタル信号プロセッサ、特定用途向け集積回路、フィールドプログラマブルゲートアレイ、もしくは個別論理部など、１つまたは複数の処理デバイス１１４を含むことが可能であり得る。各オペレータコンソール１１０はまた、処理デバイス１１４によって使用される、生成される、もしくは収集される命令およびデータを記憶する１つまたは複数のメモリ１１６も含むことが可能であり得る。各オペレータコンソール１１０は、１つまたは複数のＥｔｈｅｒｎｅｔインターフェースもしくはワイヤレス送受信機など、少なくとも１つのワイヤードまたはワイヤレスのネットワークを介して通信を容易にする１つまたは複数のネットワークインターフェース１１８をさらに含むことが可能であり得る。
【００２０】
[0025]加えて、システム１００は、１つまたは複数のデータベース１２０を含む。各データベース１２０は、産業プロセス、または産業プロセスを制御するために使用される制御システムに関係する任意の適切な情報を記憶するために使用可能である。たとえば、より詳細に後述されるように、１つまたは複数のデータベース１２０は、分散型制御システム（ｄｉｓｔｒｉｂｕｔｅｄ  ｃｏｎｔｒｏｌ  ｓｙｓｔｅｍ：ＤＣＳ）情報、およびシステム１００において使用されるモバイルデバイスに関連する情報を記憶するために使用可能である。各データベース１２０は、情報を記憶し、取り出すための任意の適切な構造体を表す。
【００２１】
[0026]オペレータコンソール１１０は、最新の産業用複合施設の安全かつ効率的な操作を担っているオペレータについての主要作業環境を表すことが多い。オペレータは、通常、その勤務時間のほとんど（１２時間シフトなど）をオペレータコンソールにおいて過ごすが、オペレータが、自分のコンソールから離れる必要がある場合がしばしばある。これは、オペレータが、休憩を取る、食事をする、またはたとえば、他のオペレータのコンソールのところで、または隣接するもしくは近くの部屋の中で、他のオペレータと連携する時を含む。
【００２２】
[0027]様々な要因により、オペレータは、自分のコンソールから席を外すことがますます困難になる。１つの要因は、オペレータが、オペレータの介入を必要とする異常なプロセス条件を識別し、それに応答できるようにするために、オペレータは、高いレベルの状況認識を維持する必要があるということである。別の要因は、オペレータが、プロセスシステムの広い範囲について責任を担うように求められていることであり、それにより、自分のコンソールにおけるオペレータの日常の作業負荷が増大する。
【００２３】
[0028]実際において、オペレータは、自分のオペレータコンソールに「つながれた（ｃｈａｉｎｅｄ）」状態になり、短時間でも自分のコンソールから離れることができないことがあり得る。これは、オペレータの健康、満足度、および生産性に負の影響をもたらす。オペレータコンソールは、プロセスの監視および制御に最適化された専用のヒューマンマシンインターフェース（Ｈｕｍａｎ  Ｍａｃｈｉｎｅ  Ｉｎｔｅｒｆａｃｅ：ＨＭＩ）であると同時に、オペレータは、ある程度の状況認識を維持しながら、および日常のプロセス介入を行うための能力を維持しながらも、短時間の間、自分のコンソールから席を外すことができるべきである。これにより、オペレータは、自分の主要責任をなおも果たしながら、休憩を取り、他の人と連携することが可能になる。
【００２４】
[0029]本開示によれば、システム１００は、１つまたは複数のオペレータコンソール１１０に関連付けられている１つまたは複数のモバイル拡張部１２２を含む。各モバイル拡張部１２２は、関連のオペレータコンソール１１０と対話するためにオペレータによって使用され得るモバイルデバイスを表す。たとえば、モバイル拡張部１２２は、警報リストおよびプロセスパラメータ傾向など、状況認識を維持するのにオペレータによって使用される情報へのアクセスを与えるユーザインターフェースを提供することができる。モバイル拡張部１２２はまた、たとえば警報を確認応答すること、およびプロセスパラメータを変更することによって、オペレータが産業プロセスにおいて介入するための機構も提供する。加えて、モバイル拡張部１２２は、その関連のオペレータコンソール１１０から離れて移動可能であり、したがって、オペレータは、オペレータコンソール１１０から離れている場合、様々な機能を行うことが可能になる。
【００２５】
[0030]いくつかの実施形態においては、各モバイル拡張部１２２は、次の３つの特徴のうちの１つ、一部、またはすべてを有することが可能であり得る。第１は、モバイル拡張部１２２は、その関連のオペレータコンソール１１０と状態情報を共有することができることである。状態情報は、概して、オペレータコンソール１１０の動作に関連している。現在のオペレータのログイン身分証明（ｃｒｅｄｅｎｔｉａｌｓ）、現在のオペレータの責任の範囲、およびオペレータコンソールの現在のビュー状態など、任意の適切な状態情報が共有され得る。これにより、モバイル拡張部１２２は、それがオペレータコンソール１１０の一部であるかのように働いて、それによりコンソール１１０から離れて移動する場合、モバイル拡張部１２２を使用するのに必要な初期化ステップまたは他の準備ステップが全くなくなるので理想的である。これにより、オペレータは、自分のオペレータコンソール１１０から離れて移動すること、ならびにオペレータが、コンソール１１０から離れて移動する前に閲覧していた情報にサインオンしナビゲートするというプロセスを経由する必要なく、モバイル拡張部１２２を使用することが可能になる。
【００２６】
[0031]第２は、オペレータが自分のオペレータコンソール１１０から離れ、関連のモバイル拡張部１２２を使用している間、オペレータコンソール１２２は、モバイル拡張部１２２が、移動するオペレータによって、現在、使用されているという視覚的なインジケーションを提供することができることである。オペレータコンソール１１０はまた、オペレータコンソール１１０のところの誰に対しても限られた機能を提供することが可能であり得る。これは、移動するオペレータの制御を妨げることを回避するために、行われ得ることになる。
【００２７】
[0032]第３は、モバイル拡張部１２２の機能は、モバイル拡張部１２２によって提供される機能が、モバイル拡張部１２２の物理的な場所に少なくとも部分的に基づくように、「ジオフェンス」可能であることである。たとえば、モバイル拡張部１２２が、その関連のオペレータコンソール１１０と同じ制御室１１２内に置かれている場合、モバイル拡張部１２２は、警報を閲覧し、確認応答する能力を与えること、およびプロセスパラメータへの読取り／書込みアクセスを与えることができる。制御室１１２に隣接する部屋においては、モバイル拡張部１２２は、警報を確認応答する能力を与えること、およびプロセスパラメータへの読取り専用のアクセスを与えることができる。制御室１１２のごく近傍の外側では、モバイル拡張部１２２は、警報についてのビュー専用のアクセス、およびプロセスパラメータへの読取り専用のアクセスを与えることができる。しかしながら、様々な場所において利用可能な機能が、上述されたものとは異なっている、もしくは構成できる可能性があること、またはジオフェンシングが全く使用されない場合もあることに留意されたい。また、何の動作がモバイル拡張部１２２において利用可能であるかに関する制約が、モバイル拡張部１２２において、またはオペレータコンソール１１０において履行可能であり得ることにも留意されたい。
【００２８】
[0033]ジオフェンシング機能は、任意の適切な方式でサポート可能であり得る。たとえば、オペレータコンソール１１０は、そのモバイル拡張部１２２と通信するために使用される１つまたは複数の送受信機１２４を含むことが可能であり得る。送受信機１２４は、モバイル拡張部１２２とオペレータコンソール１１０との間の近似距離を識別するためのビーコン信号、飛行時間計算、または他の技法の使用をサポートすることが可能であり得る。任意の適切な送受信機１２４が、低電力ＢＬＵＥＴＯＯＴＨ（登録商標）４またはＷＩＦＩ送受信機など、モバイル拡張部１２２と通信するために使用可能であり得る。別の例として、モバイル拡張部１２２は、たとえばビーコン信号、ＢＬＵＥＴＯＯＴＨ（登録商標）信号、または他の信号の受取りを使用すること（もしくは、それらがないこと）によって、あるいは飛行時間または他の計算を使用することによって、その場所を識別することが可能であり得る。次いで、モバイル拡張部１２２は、オペレータコンソール１１０にその場所を提供することが可能であり得る。
【００２９】
[0034]オペレータコンソール１１０と併せてモバイル拡張部１２２を使用することにより、実装形態に応じて様々な利点を得ることができる。たとえば、モバイル拡張部１２２により、オペレータは、何らかの形態の状況認識をなおも維持しながら、自分のオペレータコンソール１１０から離れて移動することが可能になる。また、状態情報を共有することにより、オペレータは、必要なときに、モバイル拡張部１２２を迅速かつ容易に使用することが可能になる。加えて、モバイル拡張部１２２のジオフェンシングは、何の動作がオペレータコンソール１１０から離れて完了可能であるのかを制限するのを助けることもできる。これは、オペレータコンソール１１０のところにおらず、制御されている産業プロセスを十分に閲覧し得ないオペレータによって産業用制御システムに変更が行われるという状況を回避するのを助けることができる。
【００３０】
[0035]オペレータコンソール１１０とともにモバイル拡張部１２２の使用に関する追加の詳細が以下に与えられる。各モバイル拡張部１２２は、ポータブル型であり、オペレータコンソールとの対話をサポートする、任意の適切な構造体を含む。いくつかの実施形態においては、モバイル拡張部１２２は、スマートフォン、タブレットコンピュータ、またはウェアラブルコンピューティングデバイスを使用して実装される。
【００３１】
[0036]図１は、産業用制御／自動化システム１００の一例を示しているが、様々な変更が図１に対してなされてよい。たとえば、産業用制御／自動化システムは、幅広い多様な構成がある。図１に示されているシステム１００は、モバイル拡張部が、オペレータコンソールの中に組み込まれ、またはオペレータコンソールとともに使用可能な１つの例示的な動作環境を示しているように意味される。図１は、本開示を任意の特定の構成または動作環境に限定しない。
【００３２】
[0037]図２および図３は、本開示によるモバイル拡張部１２２を備えた例示的なオペレータコンソール１１０を示している。図２に示されているように、オペレータコンソール１１０は、机２０２上に位置付けられる。机２０２は、オペレータコンソール１１０の構成要素を支持し、オペレータコンソール１１０の下に電子部を保持または保定するために使用可能であり得る。
【００３３】
[0038]オペレータコンソール１１０は、机２０２上に置かれる、机２０２に取り付けられる、もしくはそうでなければ、机２０２に関連付けられる、１つまたは複数のグラフィカルディスプレイ２０４ａ〜２０４ｂを含む。グラフィカルディスプレイ２０４ａ〜２０４ｂは、様々な情報をオペレータに提示するために使用可能である。例として、グラフィカルディスプレイ２０４ａ〜２０４ｂは、制御されている産業プロセスの略図、および制御されている産業プロセスの現在の状態に関連する情報を含むグラフィカルユーザインターフェース（ｇｒａｐｈｉｃａｌ  ｕｓｅｒ  ｉｎｔｅｒｆａｃｅ：ＧＵＩ）を表示するために使用可能であり得る。ＧＵＩはまた、オペレータから情報を受け取るためにも使用可能であり得る。各グラフィカルディスプレイ２０４ａ〜２０４ｂは、液晶ディスプレイ（ｌｉｑｕｉｄ  ｃｒｙｓｔａｌ  ｄｉｓｐｌａｙ：ＬＣＤ）または発光ダイオード（ｌｉｇｈｔ  ｅｍｉｔｔｉｎｇ  ｄｉｏｄｅ：ＬＥＤ）ディスプレイなど、任意の適切なディスプレイデバイスを含む。この例においては、互いに隣接して、互いに対して角度付けされた２つのグラフィカルディスプレイ２０４ａ〜２０４ｂが存在する。しかしながら、オペレータコンソール１１０は、任意の適切な構成における任意の数のグラフィカルディスプレイを含むことが可能であり得る。
【００３４】
[0039]この例におけるオペレータコンソール１１０はまた、追加のディスプレイ２０６も含む。この場合、追加のディスプレイ２０６は、机２０２上に置かれ、ある角度において位置付けされ得る。追加のディスプレイ２０６は、グラフィカルディスプレイ２０４ａ〜２０４ｂの中のＧＵＩと対話し、グラフィカルディスプレイ２０４ａ〜２０４ｂ上のコンテンツを制御するために使用可能なタッチ画面を表すことが可能であり得る。追加のディスプレイ２０６はまた、グラフィカルディスプレイ２０４ａ〜２０４ｂ上に提示されない追加の情報を表示することが可能であり得る。追加のディスプレイ２０６は、ＬＣＤもしくはＬＥＤディスプレイまたはタッチ画面など、任意の適切なディスプレイデバイスを含む。しかしながら、追加のディスプレイ２０６の使用がオプションであること、および（キーボードなどの）他の入力デバイスが使用可能であり得ることに留意されたい。
【００３５】
[0040]オペレータコンソール１１０は、アンビエントディスプレイ（ａｍｂｉｅｎｔ  ｄｉｓｐｌａｙ）２０８をさらに含み、このアンビエントディスプレイ２０８は、この例においては、グラフィカルディスプレイ２０４ａ〜２０４ｂの上部において位置付けられる。アンビエントディスプレイ２０８は、オペレータコンソール１１０を使用して監視されている、または制御されている産業プロセス（もしくはその一部分）の現在のステータスを識別するために、異なる特性を有する光を出力することができる。たとえば、アンビエントディスプレイ２０８は、産業プロセスまたはその一部分の現在のステータスが正常であるとき、緑色の光を出力する、または光を出力しないことが可能であり得る。アンビエントディスプレイ２０８は、産業プロセスまたはその一部分の現在のステータスが、警告が発せられたことを示すとき、黄色の光を出力することが可能であり得る。アンビエントディスプレイ２０８は、産業プロセスまたはその一部分の現在のステータスが、警報が発せられたことを示すとき、赤色の光を出力することが可能であり得る。光の強度、光の移行速度など、アンビエント光の他のまたは追加の特性もまた、制御可能であることに留意されたい。この場合、アンビエントディスプレイ２０８は、エッジライト型のガラスセグメントまたは他の透明セグメントを表し、ここで、セグメントの１つまたは複数のエッジが、ＬＥＤストリップまたは他の光源を使用して照明され得る。しかしながら、アンビエントディスプレイ２０８の使用がオプションであることに留意されたい。
【００３６】
[0041]この場合、モバイル拡張部１２２は、机２０２上に常駐しているように示され、ドッキングステーション２１０内に置かれていてよい。モバイル拡張部１２２は、たとえば、オペレータと、ディスプレイ２０４ａ〜２０４ｂ、２０６の中に提示されるＧＵＩとの間の対話をサポートするために使用可能である。例として、モバイル拡張部１２２は、ディスプレイ２０４ａ〜２０４ｂ、２０６上のコンテンツを制御するため、およびディスプレイ２０４ａ〜２０４ｂ、２０６の中に提示されるＧＵＩと対話するために使用可能なタッチ画面を含むことが可能であり得る。モバイル拡張部１２２はまた、オペレータがモバイル拡張部１２２をオペレータコンソール１１０から離して移動させるとき、（現在のプロセス変数値またはプロセス状態などの）情報を受け取り、オペレータに表示し、オペレータから（変数設定点および警報の確認応答などの）入力を受け取ることが可能であり得る。
【００３７】
[0042]ドッキングステーション２１０は、モバイル拡張部１２２の内部電源を再充電するために使用可能である。ドッキングステーション２１０はまた、オペレータコンソール１１０とモバイル拡張部１２２との間のデータ交換をサポートするために使用可能であり得る。たとえば、上述のように、現在のオペレータのログイン身分証明および（グラフィカルディスプレイ２０４ａ〜２０４ｂ上で検索されているものを定義する）オペレータコンソール１１０のビュー状態は、モバイル拡張部１２２と共有可能であり得る。しかしながら、そのようなデータ交換もまた、たとえばオペレータコンソール１１０の送受信機１２４を介して、ワイヤレスで行われ得ることになることに留意されたい。
【００３８】
[0043]図３に示されているように、モバイル拡張部１２２は、モバイル拡張部構成データベース１２０ａおよびＤＣＳデータベース１２０ｂなど、１つまたは複数のデータベースと対話することができる。モバイル拡張部１２２はまた、１つまたは複数のコンソールＨＭＩ３０２とも対話する。
【００３９】
[0044]コンソールＨＭＩ３０２は、グラフィカルディスプレイ１２０ａ〜１２０ｂを使用して、オペレータコンソール１１０によって提供されるユーザインターフェースを表す。コンソールＨＭＩ３０２は、プロセス変数値、警報、通知、および他の情報など、プロセス関係のデータへのアクセスをオペレータに与える。また、コンソールＨＭＩ３０２により、オペレータは、コントローラ設定点を変更し警報を確認応答するコマンドなど、コマンドを制御システムに対して発行することも可能になる。典型的には、オペレータコンソール１１０は、いくつかのＨＭＩ３０２を含み、このいくつかのＨＭＩ３０２は、論理的に一緒にグループ化され、責任の範囲、警報確認応答、および沈黙の振舞い（ｓｉｌｅｎｃｉｎｇ  ｂｅｈａｖｉｏｒ）、ならびに（クロス画面（ｃｒｏｓｓ−ｓｃｒｅｅｎ）呼出しのような）ディスプレイ管理など、いくつかの特徴を共有する。これは、オペレータに首尾一貫したユーザ体験をもたらすと同時にまた、構成要素が故障した場合に、重要な回復力度ももたらす。
【００４０】
[0045]モバイル拡張部１２２は、モバイルデバイスに最適化されるそれ自体のコンソールＨＩＭ３０４を使用して動作する。コンソールＨＭＩ３０４は、他のコンソール機能に引き続き関わり、モバイル拡張部１２２に対する首尾一貫したコンソールユーザ体験を拡張する。コンソールＨＭＩ３０４はコンソール機能に十分に関わるので、モバイル拡張部１２２におけるアクティビティは、オペレータコンソール１１０によってサポートされるＨＭＩ３０２に反映され得る。たとえば、これは、オペレータコンソール１１０が、移動するオペレータによって使用中であるというキューを他のオペレータに提供することができ、可能性として、ＨＭＩ３０２によってもたらされる機能が制限される。
【００４１】
[0046]図３に示されている例においては、モバイル拡張部１２２は、コンソールＨＭＩ状態情報を受け取り、場所およびアクティビティ更新情報を提供することができる。コンソールＨＭＩ状態情報は、ログイン身分証明、ビュー状態、またはオペレータコンソール１１０の他の状態情報を含む。これにより、オペレータは、オペレータコンソール１１０上にサインし、次いで、モバイル拡張部１２２に個別にサインせずに、モバイル拡張部１２２を使用することが可能になる。場所情報は、モバイル拡張部１２２が、モバイル拡張部１２２の場所、またはオペレータコンソール１１０からのモバイル拡張部１２２の距離に基づいて行うことができるという機能を制限するために使用可能であり得る。アクティビティ更新情報は、モバイル拡張部１２２がオペレータによって、現在、使用されているかどうかを示すことができ、かつオプションで、モバイル拡張部１２２において呼び出される機能に関連する情報を含むことができる。場所情報およびアクティビティ更新情報は、モバイル拡張部１２２が、現在、使用中であるというオペレータコンソール１１０上のインジケーションを生成するのにオペレータコンソール１１０によって使用可能であり得る。
【００４２】
[0047]モバイルデバイス構成データベース１２０ａは、何の機能が、異なる物理領域の中のモバイル拡張部１２２上で利用可能であるのかを定義する情報のレポジトリを表す。この情報は、ゾーン制約と称される。本開示によるオペレータコンソール１１０についてのモバイル拡張部１２２の例示的なジオフェンシングを示している図４について検討する。この例においては、モバイル拡張部１２２において利用可能な機能は、モバイル拡張部１２２がその中に置かれているゾーンに応じて変わる。いくつかの実施形態においては、モバイルデバイス構成データベース１２０ａは、次のようにゾーン制約を定義することが可能であり得る。モバイル拡張部１２２は、制御室１１２（ゾーン１）の中にある間、プロセスデータを閲覧し、警報を確認応答し、コントローラ設定点を変更するために使用され得る。モバイル拡張部１２２は、制御室１１２（ゾーン２）に隣接する会議室またはキッチンの中でプロセスデータを閲覧し、警報を確認応答するために使用され得る。他のエリアにおいては、モバイル拡張部１２２は、プロセスデータ、およびオプションで、警報を閲覧することのみに制約され得る（ゾーン３）。
【００４３】
[0048]ＤＣＳデータベース１２０ｂは、プロセス変数値、制御システムによって生成される警報、およびオペレータから受け取ったコマンドなど、プロセス関係のデータを受け取り、ロギングする。ＤＣＳデータベース１２０ｂはまた、コンソールＨＭＩ３０２およびモバイル拡張部１２２に情報を提供する、またはコンソールＨＭＩ３０２およびモバイル拡張部１２２から情報を受け取ることができる。たとえば、ＤＣＳデータベース１２０ｂは、ＨＭＩ３０２およびモバイル拡張部１２２に、表示するためのプロセス変数値および警報を提供することが可能であり得る。ＤＣＳデータベース１２０ｂはまた、ＨＭＩ３０２およびモバイル拡張部１２２から、コマンドを受け取ることも可能であり得る。
【００４４】
[0049]図２および図３は、モバイル拡張部１２２を備えたオペレータコンソール１１０の一例を示しているが、様々な変更が図２および図３に対してなされてよい。たとえば、図２に示されているオペレータコンソール１１０の形態は、例示目的にすぎない。ほとんどのコンピューティングデバイスのように、オペレータコンソールは、幅広い多様な構成があり得、図２は、本開示を任意の特定の構成のオペレータコンソールに限定しない。また、図３における様々な構成要素は、組合せ、さらなる細分化、または削除可能であり得、追加の構成要素が、特定のニーズにより追加可能であり得る。例として、データベース１２０ａ〜１２０ｂは、単一のデータベースに組合せ可能、または３つ以上のデータベースに細分化可能であり得る。図４は、オペレータコンソール１１０についてのモバイル拡張部１１２のジオフェンシングの一例を示しているが、様々な変更が図４に対してなされてよい。たとえば、ゾーンの数、および各ゾーンの中の具体的な部屋は、例示目的にすぎない。概して、システムが、任意の数のゾーンをサポートすることが可能であり得、ここで、各ゾーンは、任意の数およびタイプのエリアを含む。また、上に説明された各ゾーンに関連する機能は、１つの例示的な機能区域を表す。各ゾーンは、モバイル拡張部１２２上の任意の適切な機能に関連付け可能であり得、各ゾーンについての機能は、構成可能であり得る。
【００４５】
[0050]図５は、本開示によるオペレータコンソール１１０についての例示的なモバイル拡張部１２２を示している。図５に示されているように、モバイル拡張部１２２は、モバイル拡張部１２２の動作全体を制御する少なくとも１つの処理デバイス５０２を含む。たとえば、処理デバイス５０２は、状態情報を交換し、プロセス関係のデータを受け取って表示し、オペレータコマンドを受け取って産業プロセスを改変するように、オペレータコンソール１１０との対話を制御することができる。処理デバイス５０２は、モバイル拡張部の動作を制御するための任意の適切な構造体を含む。具体的な例として、処理デバイス５０２は、１つまたは複数のプロセッサ、マイクロプロセッサ、マイクロコントローラ、フィールドプログラマブルゲートアレイ、特定用途向け集積回路、個別論理デバイス、または他の処理デバイスもしくは制御デバイスを含むことが可能であり得る。
【００４６】
[0051]少なくとも１つのメモリ５０４は、モバイル拡張部１２２によって使用される、収集される、または生成される幅広い多様な情報のうちのいずれかを記憶する。たとえば、メモリ５０４は、処理デバイス５０２によって実行される命令、ならびにオペレータコンソール１１０との間で送信または受信されるデータ、およびオペレータから受け取ったデータを記憶することが可能であり得る。メモリ５０４は、任意の適切な揮発性ならびに／または不揮発性の記憶および取出しデバイスもしくは複数のデバイスを含む。
【００４７】
[0052]モバイル拡張部１２２はまた、少なくとも１つのアンテナ５０８に連結された少なくとも１つのワイヤレス送受信機５０６も含む。送受信機５０６およびアンテナ５０８は、他のデバイスまたはシステムとワイヤレスで通信するのにモバイル拡張部１２２によって使用され得る。たとえば、送受信機５０６およびアンテナ５０８は、関連のオペレータコンソール１１０の送受信機１２４と通信することが可能であり得る。送受信機５０６およびアンテナ５０８はまた、ＷＩＦＩもしくは他のアクセスポイント、ルータ、中継器、スイッチ、または他のネットワークインフラストラクチャ構成要素と通信することも可能であり得る。各送受信機５０６は、それ自体のアンテナ５０８に連結されても、あるいは１つまたは複数の共通のアンテナ５０８を共有してもよい。
【００４８】
[0053]各送受信機５０６は、ワイヤレスで送信されることになる信号を生成し、かつ／またはワイヤレスで受信されることになる信号を受信するための任意の適切な構造体を含む。いくつかの実施形態においては、各送受信機５０６は、無線周波数（ＲＦ）送受信機を表す。各送受信機５０６はまた、送信機および別個の受信機を含むことが可能であり得る。各アンテナ５０８は、ワイヤレス信号を送受信するための任意の適切な構造体を含む。各アンテナ５０８は、（任意の他の適切なワイヤレス信号が、通信するために使用可能であり得るが）ＲＦアンテナを表すことが可能であり得る。相異なる通信プロトコルまたは技法を使用する、複数の送受信機５０６およびアンテナ５０８が、モバイル拡張部１２２において使用可能であり得ることに留意されたい。例として、モバイル拡張部１２２がスマートフォンを使用して実装されているとき、モバイル拡張部１２２は、セルラ通信、ならびにＷＩＦＩ、ＢＬＵＥＴＯＯＴＨ（登録商標）、または他のローカル通信に必要とされる送受信機５０６およびアンテナ５０８を含むことが可能であり得る。
【００４９】
[0054]モバイル拡張部１２２は、ディスプレイ５１０をさらに含む。ディスプレイ５１０は、テキスト、画像、または他のデータをオペレータに提示するための構造体を表す。いくつかの実施形態においては、ディスプレイ５１０はまた、ディスプレイ５１０がタッチセンサ式ディスプレイを表す場合など、入力をオペレータから受け取るために使用可能であり得る。ディスプレイ５１０は、ＬＣＤまたはＬＥＤのディスプレイもしくはタッチ画面など、情報を提示するための任意の適切な構造体を含む。
【００５０】
[0055]実装形態に応じて、モバイル拡張部１２２は、キーパッド５１２、マイクロフォン５１４、およびスピーカ５１６など、様々な他の構成要素を含むことが可能であり得る。キーパッド５１２は、たとえばキーボード、数字キーパッド、またはボタンもしくはユーザ選択可能な制御部の他の集合体を介して、モバイル拡張部１２２にユーザ入力を提供するために使用可能であり得る。マイクロフォン５１４は、オペレータからの声通信など、音声情報を取り込むために使用され得る。スピーカ５１６は、可聴警報、またはモバイル拡張部１２２との声通信セッションを行う別のオペレータから受け取った声情報など、音声情報を生成するために使用可能である。
【００５１】
[0056]図５は、オペレータコンソール１１０についてのモバイル拡張部１２２の一例を示しているが、様々な変更が図５に対してなされてよい。たとえば、図５における様々な構成要素は、組合せ、細分化、または削除可能であり得、追加の構成要素が、特定のニーズにより追加可能であり得る。具体的な例として、処理デバイス５０２は、中央処理ユニット（ＣＰＵ）およびグラフィカル処理ユニット（ＧＰＵ）を使用して実装可能であり得る。
【００５２】
[0057]図６および図７は本開示によるモバイル拡張部を備えたオペレータコンソールを使用するための例示的な方法を示している。具体的には、図６は、オペレータコンソール１１０において実行可能であり得る例示的な方法６００を示し、図７は、モバイル拡張部１２２において実行可能であり得る例示的な方法７００を示している。説明を容易にするために、方法６００および方法７００は、図２から図５に示されたモバイル拡張部１２２を有するオペレータコンソール１１０に関して説明される。しかしながら、方法６００および方法７００は、任意の他の適切なオペレータコンソールおよびモバイル拡張部とともに使用可能であり得る。
【００５３】
[0058]図６に示されているように、モバイル拡張部を備えたオペレータコンソールの動作は、ステップ６０２から始められる。これは、たとえば、オペレータコンソール１１０の処理デバイス１１４が起動し、（ＤＣＳデータベース１２０ｂのような）外部の制御システム構成要素との通信を確立することなど、様々な初期行為を行うことを含むことが可能であり得る。これはまた、処理デバイス１１４が動作コンソール１１０上にロギングするオペレータのログイン身分証明を受け取り、検証することも含むことが可能であり得る。
【００５４】
[0059]ステップ６０４において、オペレータコンソールは、プロセス関係の情報をオペレータに提示する。これは、たとえば、処理デバイス１１４が、ＤＣＳデータベース１２０ｂからプロセス変数値、警報、および他のデータを取り出し、その情報をグラフィカルディスプレイ２０４ａ〜２０４ｂ上に提示することを含むことが可能であり得る。このプロセスの一部として、オペレータコンソール１１０は、様々なＨＭＩ３０２を呼び出し、ディスプレイ２０４ａ〜２０４ｂ上にＨＭＩ３０２を配置することが可能であり得る。
【００５５】
[0060]ステップ６０６において、オペレータコンソールの動作中、状態情報は、モバイル拡張部に送信される。これは、たとえば、処理デバイス１１４が、モバイル拡張部１２２にオペレータのログイン身分証明、およびオペレータの現在の責任の範囲を送信することを含むことが可能であり得る。これはまた、処理デバイス１１４が、オペレータコンソール１１０によって表示されるＨＭＩ３０２の現在のビュー状態に関してモバイル拡張部１２２を更新した状態に保つことを含むことが可能であり得る。
【００５６】
[0061]ステップ６０８において、何らかの時点で、オペレータコンソールは、オペレータコンソールから離れるモバイル拡張部の動きを検出する。任意の適切な技法が、オペレータコンソールから離れる動きを検出するのにオペレータコンソール１１０またはモバイル拡張部１２２によって使用可能であり得る。たとえば、処理デバイス１１４は、ドッキングステーション２１０からモバイル拡張部１２２が取り外されたことを検出することが可能であり得る。処理デバイス１１４はまた、モバイル拡張部１２２が、オペレータコンソール１１０から離れて移動したことを示す情報をモバイル拡張部１２２から受け取ることが可能であり得る。モバイル拡張部１２２からのインジケーションは、任意の適切な形態を有することが可能であり得る。例として、インジケーションは、モバイル拡張部１２２の絶対場所、またはオペレータコンソール１１０からのモバイル拡張部１２２の距離を表すことが可能であり得る。インジケーションはまた、モバイル拡張部１２２が、オペレータコンソール１１０からビーコン信号を受け取っているかどうかのインジケーション、またはモバイル拡張部１２２において測定された（ビーコン信号などの）ワイヤレス信号の受信信号強度を表すことが可能であり得る。
【００５７】
[0062]ステップ６１０において、オペレータコンソールは、モバイル拡張部から場所および更新情報を受け取る。これは、たとえば、処理デバイス１１４が、場所情報、およびオペレータがモバイル拡張部１２２をいかに使用しているのかを定義するアクティビティ情報を受け取ることを含むことが可能であり得る。例として、アクティビティ情報は、モバイル拡張部１２２に提供されているプロセス関係の情報（プロセス変数値および警報など）、およびモバイル拡張部１２２から受け取っているプロセス関係の情報（プロセス変数設定点および警報確認応答など）を定義することが可能であり得る。
【００５８】
[0063]ステップ６１２において、オペレータコンソールは、モバイル拡張部が、現在、使用中であるかどうかのインジケーションをオペレータコンソールにおいて提供する。これは、たとえば、処理デバイス１１４が、モバイル拡張部１２２からのアクティビティ情報を使用して、モバイル拡張部１２２が、現在、使用中であるかどうかを判定することを含むことが可能であり得る。これはまた、遠距離にいるオペレータが、現在、モバイル拡張部１２２を使用しているかどうかのインジケーションを、処理デバイス１１４がグラフィカルディスプレイ２０４ａ〜２０４ｂ上に提供することを含むことが可能であり得る。モバイル拡張部１２２の使用期間中、このステップは、オペレータコンソール１１０において、近距離にいるユーザによって呼出し可能なコマンドのタイプを制限することを含むことが可能であり得る。
【００５９】
[0064]ステップ６１４において、最終的に、オペレータコンソールは、モバイル拡張部がオペレータコンソールに戻されることを検出することができる。この場合もやはり、任意の適切な技法が、オペレータコンソールに戻ったことを検出するのにオペレータコンソール１１０またはモバイル拡張部１２２によって使用可能であり得る。たとえば、処理デバイス１１４は、モバイル拡張部１２２のドッキングステーション２１０への挿入を検出することが可能であり得、またはモバイル拡張部１２２から情報を受け取ることが可能であり得る。ステップ６１６において、それに応答して、オペレータコンソールは、正常の動作を再開する。これは、たとえば、処理デバイス１１４が、ＨＭＩ３０２をグラフィカルディスプレイ２０４ａ〜２０４ｂ上に提示することを含むことが可能であり得る。しかしながら、ＨＭＩ３０２のコンテンツおよび配置、ならびに提示されている特定のＨＭＩ３０２さえも、モバイル拡張部１２２を使用して以前に行われたオペレータ行為に基づいて更新可能であることに留意されたい。
【００６０】
[0065]図７に示されているように、ステップ７０２において、状態情報は、オペレータコンソールからモバイル拡張部において受信される。これは、たとえば、モバイル拡張部１２２の処理デバイス５０２が、オペレータのログイン身分証明、およびオペレータの現在の責任の範囲を受け取ることを含むことが可能であり得る。これはまた、処理デバイス５０２が、オペレータコンソール１１０によって表示されるＨＭＩ３０２の現在のビュー状態に関する更新版を受け取ることを含むことが可能であり得る。
【００６１】
[0066]ステップ７０４において、何らかの時点で、モバイル拡張部は、オペレータコンソールから離れて移動する。これは、たとえば、処理デバイス５０２が、ドッキングステーション２１０からモバイル拡張部１２２が取り外されたことを検出することを含むことが可能であり得る。これはまた、処理デバイス５０２が、その位置の変更を特定することを含むことが可能であり得る。例示的な技法は、モバイル拡張部１２２がオペレータコンソール１１０からビーコン信号を受け取るかどうかに基づいている、またはモバイル拡張部１２２において測定されたワイヤレス信号（ビーコン信号など）に関連する受信信号強度に基づいていることが可能であり得る。
【００６２】
[0067]ステップ７０６において、モバイル拡張部は、その場所、またはオペレータコンソールからの距離を識別する。ステップ７０８において、モバイル拡張部は、オペレータコンソールに場所情報および更新情報を提供する。これは、たとえば、処理デバイス５０２が、モバイル拡張部１２２の場所を識別する場所情報、またはオペレータコンソール１１０からのモバイル拡張部１２２の距離を送ることを含むことが可能であり得る。これはまた、モバイル拡張部１２２がオペレータによって活発に使用されているかどうか、およびオプションで、そのアクティビティが何であるのかを示す情報を、処理デバイス５０２が送ることを含むことが可能であり得る。
【００６３】
[0068]ステップ７１０において、プロセス関係の情報が、受信され、オペレータに提示される。これは、たとえば、処理デバイス５０２が、プロセス変数値、警報、および他のプロセス関係のデータを受け取り、ディスプレイ５１０上に提示することを含むことが可能であり得る。このステップが、先に識別された場所情報によって決まる場合があることに留意されたい。例として、オペレータに提示可能なデータのタイプは、モバイル拡張部１２２がその中に置かれているゾーンに応じて変わることが可能であり得る。
【００６４】
[0069]プロセス関係のデータは、ステップ７１２において、オペレータから受信され、ステップ７１４において、制御システムに提供される。これは、たとえば、処理デバイス５０２が、プロセス変数設定点、警報の確認応答、またはオペレータからの他のプロセス関係のデータを受け取ることを含むことが可能であり得る。これはまた、処理デバイス５０２が、たとえばオペレータコンソール１１０を介して、直接的または間接的に、ＤＣＳデータベース１２０ｂにこの情報を送信することを開始することを含むことが可能であり得る。このステップもまた、先に識別された場所情報によって決まる場合があることに留意されたい。例として、オペレータから受信可能および制御システムに送信可能であり得るデータのタイプは、モバイル拡張部１２２がその中に置かれているゾーンに応じて変わることが可能であり得る。
【００６５】
[0070]ステップ７１６において、何らかの時点で、モバイル拡張部は、オペレータコンソールに戻される場合がある。これは、たとえば、オペレータが、モバイル拡張部１２２をドッキングステーション２１０に戻すことを含むことが可能であり得る。その時点で、方法７００は、繰返し可能であり得る。
【００６６】
[0071]このようにして、オペレータは、オペレータコンソール１１０の使用とモバイル拡張部１２２の使用との間をシームレスに移行することができる。様々な他の行為もまた、モバイル拡張部１２２を使用して行うことが可能であり得る。例として、オペレータコンソール１１０は、モバイル拡張部１２２が、オペレータコンソール１１０に接近してきているときに検出する近接検出のための機構をサポートすることが可能であり得る（同じ機構が、方法６００および方法７００において、モバイル拡張部１２２のオペレータコンソール１１０から離れる動きを検出するために使用可能であり得る）。オペレータコンソール１１０に接近するモバイル拡張部１２２の検出は、オペレータコンソール１１０、またはモバイル拡張部１２２において、様々な行為をトリガするために使用可能であり得る。例として、モバイル拡張部１２２がオペレータと一意に関連している場合、オペレータコンソール１１０は、自動的にモバイル拡張部１２２から情報を取り出し、オペレータコンソール１１０にオペレータをロギングすることが可能であり得る。別の例として、オペレータコンソール１１０は、オペレータが、モバイル拡張部１２２を使用して、開いた、閉じた、または修正したＨＭＩに基づいてオペレータコンソール１１０が表示しているＨＭＩ３０２を更新することが可能であり得る。任意の他のまたは追加の機能は、近接検出に基づいて行われることが可能であり得る。
【００６７】
[0072]図６および図７は、モバイル拡張部１２２を備えたオペレータコンソール１１０を使用するための方法６００および方法７００の例を示しているが、様々な変更が、図６および図７に対してなされてよい。たとえば、一連のステップとして示されているが、各図における様々なステップは、重複する、並行して行われる、異なる順序で行われる、または任意の回数行われることが可能であり得る。また、１つのデバイス（オペレータコンソール１１０またはモバイル拡張部１２２）によって行われているように１つの図に示され、説明された様々なステップは、他のデバイス（モバイル拡張部１２２またはオペレータコンソール１１０）によって行われ得ることになる。例として、モバイル拡張部１２２またはオペレータコンソール１１０のいずれかが、モバイル拡張部１２２の場所、またはオペレータコンソール１１０からのモバイル拡張部１２２の距離を使用して、何のオプションがモバイル拡張部１２２を使用してオペレータに利用可能であるのかを制御することが可能であり得る。
【００６８】
[0073]いくつかの実施形態においては、上述の様々な機能（オペレータコンソールまたはモバイル拡張部によって行われる機能など）は、コンピュータ可読プログラムコードから形成され、コンピュータ可読媒体において具現化される、コンピュータプログラムによって実装される、またはサポートされる。語句「コンピュータ可読プログラムコード」は、ソースコード、オブジェクトコード、および実行可能なコードを含む、任意のタイプのコンピュータコードを含む。語句「コンピュータ可読媒体」は、読取り専用メモリ（ＲＯＭ）、ランダムアクセスメモリ（ＲＡＭ）、ハードディスクドライブ、コンパクトディスク（ＣＤ）、デジタルビデオディスク（ＤＶＤ）、または任意の他のタイプのメモリなど、コンピュータによってアクセスできる任意のタイプの媒体を含む。「非一時的」コンピュータ可読媒体は、一時的な電気もしくは他の信号を移送するワイヤードの、ワイヤレスの、光学の、または他の通信リンクを除外する。非一時的コンピュータ可読媒体は、データが恒久的に記憶可能な媒体、および書換え可能な光ディスクまたは消去可能なメモリデバイスなど、データが記憶可能で、後に上書き可能な媒体を含む。
【００６９】
[0074]本願全体を通じて使用される特定の語および語句の定義を説明することは有利であり得る。用語「アプリケーション」および「プログラム」は、適切なコンピュータコード（ソースコード、オブジェクトコード、もしくは実行可能なコードを含む）において実装するように適合された１つまたは複数のコンピュータプログラム、ソフトウェアコンポーネント、命令セット、手続き、機能、オブジェクト、クラス、インスタンス、関係のデータ、またはそれらの一部分を示す。用語「通信する」ならびに、その派生語は、直接的な通信と間接的な通信との両方を包含する。用語「〜を含む」および「〜を備える」、ならびにそれらの派生語は、限定せずに包括を意味する。用語「または」は、包括的であり、および／またはを意味する。語句「〜に関連する」、ならびにその派生語は、〜を含む、〜内に含まれる、〜と相互接続する、〜を包含する、〜内に包含される、〜にまたは〜と接続する、〜にまたは〜と連結する、〜と通信できる、〜と協働する、〜を交互配置する、〜を並置する、〜に近接する、〜にまたは〜と結び付けられる、〜を有する、〜の特性を有する、あるいは〜に対するまたは〜との関係性を有するなど、と意味することができる。語句「〜の少なくとも１つ」は、項目のリストとともに使用されるとき、リストされた項目のうちの１つまたは複数の相異なる組合せが使用されてよく、リストの中の１つの項目のみが必要であってもよいことを意味する。たとえば、「Ａ、Ｂ、およびＣのうちの少なくとも１つ」は、次の組合せ、すなわち、Ａ、Ｂ、Ｃ、ＡおよびＢ、ＡおよびＣ、ＢおよびＣ、ならびにＡおよびＢおよびＣのうちのいずれかを含む。
【００７０】
[0075]本開示は、いくつかの実施形態および概して関連の方法について説明しているが、これらの実施形態および方法の代替形態ならびに並替え形態は、当業者には明らかになろう。したがって、例示的な実施形態の上の説明は、本開示を定義することも、または制約することもしない。他の変更形態、置換形態、および代替形態もまた、添付の特許請求の範囲によって定義されるように、本開示の精神および範囲から逸脱することなく可能である。
【図１】
2017515175.tif 000003
【図２】
2017515175.tif 000004
【図３】
2017515175.tif 000005
【図４】
2017515175.tif 000006
【図５】
2017515175.tif 000007
【図６】
2017515175.tif 000008
【図７】
2017515175.tif 000009
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
モバイル拡張部（１２２）においてオペレータに第１のプロセス関係の情報を提示するステップ（７１０）であって、前記モバイル拡張部が、産業プロセスと、前記産業プロセスに関連する制御システムとに関連する情報を表示するオペレータコンソール（１１０）に関連付けられている、ステップ（７１０）と、
前記制御システムについて、前記モバイル拡張部において前記オペレータから第２のプロセス関係の情報を受け取るステップ（７１２）と、
前記モバイル拡張部において前記オペレータコンソールから状態情報を受け取るステップ（７０２）であって、前記状態情報が、前記オペレータコンソールの動作に関連付けられている、ステップ（７０２）と
を含む方法。
【請求項２】
前記状態情報が、前記オペレータのログイン身分証明、および前記オペレータコンソールにおける１つもしくは複数のヒューマンマシンインターフェース（ＨＭＩ）（３０２）の１つまたは複数の現在のビューを含み、
前記モバイル拡張部が、前記オペレータが前記モバイル拡張部に前記ログイン身分証明を提供せずに、前記オペレータによって使用される、請求項１に記載の方法。
【請求項３】
前記モバイル拡張部が、前記オペレータによって、現在、使用中であるというインジケーションを前記オペレータコンソールにおいて提供するステップ（６１２）
をさらに含む、請求項１に記載の方法。
【請求項４】
装置であって、
オペレータに第１のプロセス関係の情報を提示するように構成されたディスプレイ（５１０）であって、前記装置が、産業プロセスと、前記産業プロセスに関連する制御システムとに関連する情報を表示するように構成されているオペレータコンソール（１１０）に関連付けられている、ディスプレイ（５１０）と、
前記ディスプレイ上の前記第１のプロセス関係の情報の提示を制御し、前記制御システムについて、前記オペレータから第２のプロセス関係の情報を受け取るように構成された少なくとも１つの処理デバイス（５０２）と
を備え、
前記少なくとも１つの処理デバイスが、前記オペレータコンソールから状態情報を受け取るようにさらに構成され、前記状態情報が、前記オペレータコンソールの動作に関連付けられている、装置。
【請求項５】
前記少なくとも１つの処理デバイスが、前記オペレータに提示される前記第１のプロセス関係の情報のうちの少なくとも一部、または前記オペレータから受信される前記第２のプロセス関係の情報のうちの少なくとも一部を前記装置の場所に基づかせるように構成されている、請求項４に記載の装置。
【請求項６】
前記装置の前記場所が、複数のゾーンのうちの１つに関連付けられ、
前記少なくとも１つの処理デバイスが、前記オペレータに提示される前記第１のプロセス関係の情報のうちの少なくとも一部、または前記オペレータから受信される前記第２のプロセス関係の情報のうちの少なくとも一部を前記装置が置かれている前記ゾーンに基づかせるように構成されている、請求項５に記載の装置。
【請求項７】
産業プロセスと、前記産業プロセスに関連する制御システムとに関連する情報を提示するように構成された少なくとも１つのグラフィカルディスプレイ（２０４ａ、２０４ｂ）を備えるオペレータコンソール（１１０）と、
前記オペレータコンソールに関連付けられているモバイル拡張部（１２２）であって、オペレータに第１のプロセス関係の情報を提示し、前記制御システムについて、前記オペレータから第２のプロセス関係の情報を受け取るように構成されている、モバイル拡張部（１２２）と
を備え、
前記オペレータコンソールが、前記モバイル拡張部に状態情報を提供するようにさらに構成され、前記状態情報が、前記オペレータコンソールの動作に関連付けられている、システム。
【国際調査報告】
2017515175.tif 000010
2017515175.tif 000011